(57)【要約】      （修正有）【課題】処方薬が調合される場所から離れている遠隔地で処方薬を検証する方法を提供する。【解決手段】錠剤検証システム１２０は薬局で調合される処方薬を取得して、投薬すべき錠剤の情報を遠隔の薬剤師が処方薬を検証するために収集する。処方を調合する錠剤が錠剤瓶に分配されると錠剤撮像システムは錠剤の画像を捕捉し、錠剤瓶撮像システムは錠剤瓶の画像を捕捉する。処方箋、錠剤画像、錠剤瓶画像は遠隔検証システム１５０に送信される。薬剤師は、処方薬が正しいことを検証するために処方箋、処方薬を調合している実質的に全ての錠剤の画像、および処方薬の錠剤瓶画像を提示する。遠隔検証システムは多くの異なる薬局から調合される処方薬を提示することができ、これにより検証の割合を増加させ、一人の薬剤師が多くの薬局を支えることができる。薬剤師による検証は、技術士が錠剤の検証を完全なものとするために錠剤検証システムに送信され、表示される。【選択図】図１
2019115707.tif 000002
【特許請求の範囲】
【請求項１】
調合済み処方薬の遠隔検証方法であって、
患者に投薬すべき処方薬用の処方情報を受信するステップと、
前記処方薬を調合している少なくとも一つの錠剤の錠剤検証情報を錠剤検証システムか
ら受信するステップと、
前記処方情報および前記錠剤検証情報をディスプレイに表示するステップであって、前
記ディスプレイはユーザが前記錠剤検証情報をレビューすることを可能にする、ステップ
と、
インターフェースから前記情報に対する応答を受信するステップであって、前記応答は
前記調合済み処方薬を受諾または拒絶する、ステップと、
処方調合場所に前記応答を送信するステップと、
を含む、処方薬の遠隔検証方法。
【請求項２】
前記処方情報は、医療の専門家によって書かれた医薬の処方箋を含み、前記処方情報を
表示するステップは、前記医薬の処方箋を表示するステップを含む、請求項１に記載の方
法。
【請求項３】
錠剤瓶のラベルを描写する錠剤瓶の画像、ラベル検証システムからの錠剤瓶のラベルの
検証結果、または錠剤瓶用に印刷されるラベルを含む錠剤瓶情報を受信するステップと、
前記錠剤瓶情報を前記処方情報および前記錠剤検証情報とともに表示するステップとをさ
らに含む、請求項１に記載の方法。
【請求項４】
前記錠剤検証情報は、前記調合済み処方の１以上の錠剤が前記処方情報の医薬組成物に
整合するか否かに関する前記錠剤検証システムからの指示を含む、請求項１に記載の方法
。
【請求項５】
前記錠剤検証情報は、前記調合済み処方の１以上の錠剤の少なくとも一つの画像を含む
、請求項１に記載の方法。
【請求項６】
前記ディスプレイに前記錠剤検証情報を表示するステップは、前記調合済み処方の１以
上の錠剤の少なくとも一つの画像のギャラリーを表示するステップを含む、請求項１に記
載の方法。
【請求項７】
前記錠剤検証情報は、前記処方薬を調合している前記少なくとも一つの錠剤の実質的に
全ての検証情報を含む、請求項１に記載の方法。
【請求項８】
前記錠剤検証情報は、前記処方薬を調合している前記少なくとも一つの錠剤の全ての検
証情報を含む、請求項１に記載の方法。
【請求項９】
調合済み処方薬の遠隔検証方法であって、
患者に投薬すべき処方薬用の処方情報を受信するステップと、
錠剤検証システムから錠剤検証情報を受信するステップであって、前記錠剤検証情報は
前記処方薬を調合している少なくとも一つの錠剤について説明している、ステップと、
薬剤師への表示用の前記処方情報および前記錠剤検証情報を遠隔の検証システムに送信
するステップと、
前記遠隔の検証システムからの応答を受信するステップであって、前記応答は前記処方
薬が適切に調合されているか否かを示す、ステップと、
を含む、処方薬の遠隔検証方法。
【請求項１０】
前記処方情報は、医療の専門家によって書かれた医薬の処方箋を含む、請求項９に記載
の方法。
【請求項１１】
少なくとも一つの錠剤が分配される錠剤瓶のラベルを描写する錠剤瓶の画像、ラベル検
証システムからの前記錠剤瓶のラベルの検証、または前記錠剤瓶用に印刷されるラベルを
含む錠剤瓶情報を受信するステップであって、前記錠剤瓶情報は前記処方情報および前記
錠剤検証情報とともに遠隔の検証システムに送信される、ステップをさらに含む、請求項
９に記載の方法。
【請求項１２】
前記錠剤検証情報は、前記調合済み処方薬の１以上の錠剤の少なくとも一つの画像を含
む、請求項９に記載の方法。
【請求項１３】
前記錠剤検証情報は、前記調合済み処方薬の１以上の錠剤が前記処方情報の医薬組成物
と整合するか否かに関する前記錠剤検証システムからの指示を含む、請求項９に記載の方
法。
【請求項１４】
前記処方薬が適切に調合されていることを示す検証結果に応答して、少なくとも一つの
錠剤を有する錠剤瓶を密封するステップをさらに含む、請求項９に記載の方法。
【請求項１５】
プロセッサにより実行されると、当該プロセッサに以下のステップを実行させる命令を
含んでいる非一時的コンピュータ可読媒体であって、前記ステップは、
患者用の医薬組成物の量を指示している処方情報を受信するステップ、
１以上の各錠剤の複数の画像を捕捉するステップ、
前記１以上の錠剤の各錠剤について、前記錠剤が当該錠剤に対する前記複数の画像に基
づく前記医薬組成物に整合しているか否かを示す錠剤検証を確認するステップ、
錠剤瓶の画像、錠剤瓶画像の検証、または錠剤瓶用に印刷されるラベルを含む錠剤瓶情
報を識別するステップ、および
前記処方情報、前記錠剤瓶情報、および前記錠剤検証を遠隔検証システムに送信するス
テップである、非一時的コンピュータ可読媒体。
【請求項１６】
前記命令は、前記プロセッサに、
前記処方薬が適切に調合されているか否かを示す検証結果を前記遠隔の検証システムか
ら受信するステップ、および
前記検証結果を表示するステップ
をさらに実行させる、請求項１５に記載のコンピュータ可読媒体。
【請求項１７】
前記少なくとも一つの錠剤が前記錠剤瓶に分配される間に、前記複数の錠剤画像は捕捉
される、請求項１５に記載のコンピュータ可読媒体。
【請求項１８】
前記処方情報は処方管理システムから受信される、請求項１５に記載のコンピュータ可
読媒体。
【請求項１９】
前記少なくとも一つの各錠剤に対する複数の画像は当該錠剤のいくつかの視点からの画
像を含む、請求項１５に記載のコンピュータ可読媒体。
【請求項２０】
前記少なくとも一つの錠剤は前記錠剤瓶に分配され、前記錠剤が分配される間に、前記
命令はさらに、前記プロセッサに前記少なくとも一つの錠剤の各錠剤に対する複数の画像
を捕捉させる、請求項１５に記載のコンピュータ可読媒体。
【請求項２１】
前記命令はさらに、前記プロセッサに前記少なくとも一つの錠剤に対する複数の画像の
うちの実質的に全てを遠隔検証システムに送信するステップを実行させる、請求項１５に
記載のコンピュータ可読媒体。
【発明の詳細な説明】
【技術分野】
【０００１】
本発明は、概して、調合済みの処方薬の検証に関し、特に処方薬が調合される場所から
遠く離れて調合済みの処方薬を検証することに関する。
【背景技術】
【０００２】
医薬の処方箋は、患者用の特定の錠剤および他の医薬を指定するために医療の専門家に
よってオーダーされる。医療の専門家は典型的には手書き又は電子的な方法のいずれかに
より処方箋を書き、処方箋は薬局に送られる。薬局では、処方薬が調合され、医療の専門
家によって書かれた処方箋が、実際に瓶または他の容器に分配された錠剤と整合すること
を、薬剤師が物理的にその場で検証する。錠剤を検証するために、薬剤師は瓶のラベルを
レビューし、瓶に実際に分配された錠剤をレビューする。誤った錠剤を分配したり、誤っ
てラベルを貼ったりすることを含むいかなる誤りも患者にとっては危険になり得る。しか
しながら、物理的に錠剤をレビューする薬剤師を各薬局に置くと、費用がかかり、薬局の
運用コストをかなり増大させ、薬剤師を欠く地域や財政上薬局を開業することを正当化で
きない地域での薬局の開業を妨げていることがよくある。
【発明の概要】
【０００３】
錠剤検証システムによれば、処方薬が調合される場所から離れている遠隔地で薬剤師が
処方薬を検証することが可能となる。錠剤検証システムは医療の専門家から処方箋を受信
する。処方箋は電子的に入力され、特定の医薬処方や投与量などの処方を記載している処
方情報を識別する。薬局で処方薬が調合されると、錠剤検証システムはその処方薬用に調
合される錠剤瓶内の錠剤用の検証情報を収集する。検証情報は、例えば瓶に充填する錠剤
の画像、錠剤の機械検証、分光計データ、錠剤の重量等といった、一つの錠剤を一意に識
別するのに十分な情報である。検証情報は、錠剤瓶内の各錠剤の１以上の画像、錠剤瓶内
の錠剤群の１以上の画像、または錠剤瓶内の検証済みの各錠剤が処方情報と一致している
という錠剤検証システムからの錠剤検証を含むことができる。個々の錠剤の画像は、多方
向からの錠剤の画像または錠剤の周縁画像を含んでもよい。加えて、充填された錠剤瓶の
ラベルの画像またはラベル検証システムからのラベル検証を含むラベル情報が捕捉される
。一実施形態では、ラベル情報はすでに錠剤瓶に貼付されたラベルというよりむしろ印刷
され錠剤瓶に貼付予定のラベル用の情報である。錠剤検証システムは、この情報（処方情
報、検証情報、およびラベル情報）を最終的なレビューおよび承認のために遠隔検証シス
テムの設置場所にいる薬剤師に送信する。
【０００４】
遠隔検証システムはこの情報を薬剤師に表示する。薬剤師は、処方薬が適切に調合され
たことを検証するために処方箋、検証情報およびラベル情報をレビューする。一実施形態
における薬剤師はラベル画像および処方を調合した各々の錠剤の画像を提供される。薬剤
師の検証は遠隔検証システムによって記録され、処方薬が調合される錠剤検証システムに
戻される。錠剤検証システムは薬剤師からの検証結果を表示し、調剤技師に結果を提供す
る。一実施形態における錠剤検証システムは検証結果が受信されるまで錠剤瓶を安全に保
持する。その後、薬局にいる調剤技師は保持エリアに検証および調合済みの処方薬を置き
、または、患者にその処方薬を分配することができる。
【０００５】
一実施形態では、錠剤検証システムは、錠剤瓶撮像システムとともに、錠剤瓶に充填す
る錠剤の画像を捕捉する錠剤撮像システムを組み込む。この実施形態では、錠剤検証シス
テムは錠剤瓶自体の画像とともに瓶に充填する錠剤の画像を捕捉し、錠剤または錠剤瓶の
関連検証を行うことができる。この実施形態における錠剤検証システムは処方箋、錠剤検
証情報、およびラベル情報を遠隔検証システムに提供し、遠隔検証システムから受信した
検証結果を表示する。
【図面の簡単な説明】
【０００６】
【図１】一実施形態による、錠剤を検証するためのシステムおよび方法を用いるワークフローを示す図である。
【図２】一実施形態による、調合済み処方薬を薬剤師がレビューするためのディスプレイを示す図である。
【図３】錠剤撮像システムおよび錠剤瓶撮像システムから独立した錠剤検証システムの実施形態を示す図である。
【図４】一実施形態による、検証システムの構成要素を示す図である。
【０００７】
図面は、本発明の様々な実施形態を例示目的のためだけに示す。当業者は以下の説明か
ら、本明細書において記述される本発明の原理から逸脱することなく、本明細書において
例示される構成および方法の代替的な実施形態を採用することができることは容易に理解
することができるであろう。
【発明を実施するための形態】
【０００８】
［概説］
図１は一実施形態による錠剤を検証するためのシステムおよび方法を用いたワークフロ
ーを例示している。初めに、薬局は医者や看護師といった医療の専門家から処方箋１００
を受け取る。処方箋１００は患者によって提供される書面による処方箋であってもよく、
または、薬局は、ファックスや電話又は他の手段により医療の専門家から電子的に直接処
方箋１００を受信することができる。処方箋１００は患者に投与すべき薬剤に関する様々
な情報を特定している。特定の処方箋１００に応じて、処方箋は特定の医薬の量やその組
成物（すなわち、１以上の特定の薬および／またはそれらの投与量、特定の製薬業者）、
その処方薬を用いる患者に対する指示、およびその他の詳細を特定することができる。
【０００９】
処方箋は薬局に持って来られるか電子的に提供され、薬局ではその処方オーダーが入力
される（１１０）。オーダーは薬局に連絡する医療の専門家が直接電子的に入力してもよ
く、または、薬局にいる調剤技師がオーダーを入力してもよい（１１０）。オーダーは薬
局で医薬追跡システム（不図示）に入力される。システムによっては、そのシステムが受
信した電子処方情報に基づいて自らがオーダーを自動生成することができる。処方箋が手
書きだった場合は、医薬追跡システムは処方箋の画像を捕捉することもできる。処方薬に
ついて電子的に捕捉された情報は処方情報と称され、処方薬用の特定の量、組成、指示な
どを含み、そして手書きの処方箋自体の画像を含むことができる。医薬追跡システムは患
者および処方情報を保存し、薬局で調合された処方薬の記録を保存管理する。薬局が処方
薬を調合する際に、調剤技師は処方薬を分配するための瓶を選択し、瓶用のラベルを印刷
し、瓶にラベルを貼付し、在庫から処方薬用の所望の錠剤を取得する。
【００１０】
処方薬を調合し、その処方薬を充填した錠剤瓶を患者に提供する前に、調剤技師は錠剤
を錠剤検証システム１２０に装填する。錠剤はタブレットやカプセル等の任意の類型や形
状のものとすることができる。一実施形態における錠剤検証システム１２０は錠剤を受け
取り、各々の錠剤の画像を取得する。錠剤検証システムの一つの例は、ＰＣＴ公報ＷＯ/
２０１１/１１２６０６にて説明されており、これは参照によりその全体が本明細書に組
み込まれる。錠剤検証システムの一実施形態では、錠剤はシュートを下方に向かって進み
、シュートを下方に向かって移動する間に錠剤に対して異なる角度（典型的には互いに直
交する角度）で、複数のカメラ（例えば、一つの例では４台のカメラ）によって各々の錠
剤の画像が捕捉される。これにより錠剤の画像を多角度から捕捉し、検証目的のために錠
剤を多面的に見ることが可能となる。錠剤検証システム１２０の一実施形態では、錠剤瓶
はシュートの終端に配置され、画像が捕捉された後の錠剤を収集する。この実施形態では
、錠剤検証システム１２０は各々の錠剤の画像を含む検証情報１４０を生成する。検証情
報１４０は、瓶に加えられる各々の錠剤または実質的には各々の錠剤を表す情報を含んで
おり、錠剤瓶が適切な類型の錠剤で充填されているか否かを確認するために薬剤師によっ
て用いられる。
【００１１】
錠剤検証システム１２０の一実施形態では、錠剤検証システム１２０は錠剤の類型を確
認するために錠剤の分析も行う。この実施形態では、錠剤検証システム１２０は、錠剤の
類型が処方箋において規定される医薬組成物と整合するか否かを確認するために処方情報
も受信する。錠剤検証システム１２０は医薬追跡システムから処方情報を回収してもよく
、または、錠剤のボトルのラベルに印刷されたバーコードを読み、または別の方法で所望
の錠剤の類型を取得することができる。
【００１２】
処方情報から確認された所望の錠剤の類型を用いて、この実施形態における錠剤検証シ
ステム１２０は錠剤の自動検証を行う。錠剤検証方法は２０１２年１月２３日に出願され
た米国特許出願第６１/５８９，７５０号、およびＰＣＴ出願ＰＣＴ/ＵＳ２０１３/０２
２７５４にて説明されており、これらの各々の全体は参照により本明細書に組み込まれる
。錠剤の類型を確認するために、錠剤検証システム１２０は、色、形状、錠剤上の押印、
および錠剤のその他の側面等の錠剤を説明する特徴を含む特徴ベクトルを確認するために
錠剤の各々の画像を解析する。錠剤検証システム１２０は錠剤の画像および関連する錠剤
の類型のデータベースに向けられる少なくとも一つの分類子を用いて特徴ベクトルを処理
する。分類の結果として、錠剤検証システム１２０は錠剤用の錠剤の類型、および、錠剤
の類型が処方情報で規定された正しい錠剤の類型か否か及び正しい投与量か否かというこ
とを含めて、錠剤の類型が処方情報に整合するか否かを確認する。従って、検証情報１４
０は、錠剤検証システム１２０が錠剤の画像を処方情報と一致したものとして識別したか
否かを示す錠剤検証結果を含むことができる。一実施形態では、錠剤検証システム１２０
は、錠剤の類型および錠剤の類型が処方に整合しているか否かの確認とともに、各々の錠
剤用の画像群（例えば、４つの画像）を含む検証情報１４０を提供する。検証情報１４０
は錠剤瓶内の錠剤の量を含むこともできる。
【００１３】
別の実施形態では、錠剤検証システム１２０は、錠剤検証システム１２０によって検証
情報として確認された錠剤検証を提供するが、それはいかなる錠剤の画像を含まなくても
よい。この実施形態では、錠剤検証システム１２０は、上述した錠剤の画像を用いて錠剤
の類型を検証するか、又は別の適切な技術を用いて錠剤類型を検証することができる。
【００１４】
検証情報１４０に加えて、一実施形態における錠剤検証システム１２０は錠剤瓶のラベ
ルを識別するラベル情報１３０も受信する。錠剤瓶のラベルを識別するために、一実施形
態では、錠剤瓶と錠剤瓶のラベルも１枚の画像として捕捉される。錠剤瓶撮像システムは
、錠剤瓶に付着されるラベルと一緒に錠剤瓶の画像を捕捉する。他の実施形態では、ラベ
ルは錠剤瓶とは別個に捕捉されてもよく、又は、錠剤瓶ラベルは処方情報に基づいて自動
的に生成してもよい。一実施形態では、錠剤瓶画像は錠剤瓶の環状の「横長」画像を生成
するように捕捉され、錠剤瓶の全体の外観を見ることができる。一実施形態では、錠剤瓶
の周りに設置された複数のカメラによって横長画像は捕捉される。この実施形態では、錠
剤瓶撮像システムは複数のカメラからの画像を組み合わせて１枚の横長画像にする。一実
施形態では、錠剤瓶画像というよりむしろ、ラベル情報は印刷されるラベルであり、錠剤
瓶に貼付されるラベルである。
【００１５】
一実施形態では、錠剤瓶撮像システムはラベル検証システムからのラベル検証を提供す
る。ラベル検証システムは、例えば錠剤上のテキスト文字の文字認識を用い、瓶のラベル
が処方箋に整合することを検証するために文字を分析することによりラベルを検証するこ
とができる。ラベル検証はラベル情報１３０を含むことができる。実際の錠剤瓶の錠剤瓶
画像を捕捉して、錠剤の検証後に、錠剤を適切な（すでに検証済みの）瓶に単に詰めて、
密封するのが好適である。別の実施形態では、錠剤瓶にラベルを貼ってから、錠剤検証シ
ステム１２０によって撮影された錠剤を充填する。この実施形態では、錠剤および錠剤瓶
の検証の後に、錠剤瓶は遠隔の薬剤師による検証の後に、調剤技師または自動化された機
械によって即時に密封することができる。
【００１６】
錠剤瓶の中身を検証し、医療の専門家によってオーダーされた処方箋１００が適切に調
合されていることを確認するために、１以上の処方箋１００、錠剤検証情報１４０および
ラベル情報１３０は、薬剤師がレビューできるように遠隔検証システム１５０に送信され
る。錠剤検証システム１２０は一実施形態においてこのワークフローおよびプロセスを管
理する。
【００１７】
図３は、錠剤撮像システムおよび錠剤瓶撮像システムから独立した錠剤検証システム１
２０の実施形態を示す。この実施形態に示される錠剤検証システム１２０は錠剤撮像シス
テムとは別個のコンピューティングシステムであり、錠剤検証情報を受信し、処理するコ
ンピュータシステムである。検証システム１２０は処方情報、錠剤検証情報１４０、およ
びラベル情報１３０を受信し、このパッケージを遠隔検証システム１５０に送信し、薬剤
師によるレビュー用にディスプレイに表示する。錠剤撮像システム３００は、錠剤検証シ
ステム１２０に錠剤検証情報１４０を提供するために、錠剤の画像を捕捉する。錠剤撮像
システム３００によって捕捉される錠剤の画像は、上述したように、錠剤瓶に加えられる
個々の錠剤のいくつかの画像を含み、錠剤の錠剤検証も行うことができる。この検証情報
１４０は錠剤撮像システム３００から錠剤検証システム１２０に送信される。同様に、錠
剤瓶撮像システム３１０は錠剤瓶の画像を捕捉することによってラベル情報を得るか、ま
た、そうではない場合は、処方薬の錠剤瓶に貼付されるラベルについての情報を識別する
ことによってラベル情報を取得する。錠剤検証システム１２０は処方管理システム３２０
から処方情報も受信し、これは処方箋１００の画像を含むことができる。
【００１８】
錠剤検証システム１２０は薬剤師による錠剤検証に用いられる情報を、ネットワーク３
３０を経て遠隔検証システム１５０に送信する。一実施形態におけるそのような情報は、
処方箋、錠剤に関連する検証情報（例えば、錠剤の画像）、およびラベル情報（例えば、
ラベルの画像）を含む。遠隔検証システム１５０は、遠隔の薬剤師に情報を表示し、薬剤
師は調合済みの処方薬を受諾または拒絶する。
【００１９】
遠隔検証システム１５０は、調合済みの処方薬を検証するために薬剤師用の情報を表示
する。遠隔検証システム１５０は、ディスプレイを含むコンピューティングシステムであ
り、錠剤情報を受信し、その情報を表示し、薬局における錠剤検証システム１２０に薬剤
師により入力される検証結果を送信するように構成される。遠隔検証システム１５０は錠
剤検証システム１２０によって遠隔制御されるディスプレイとすることができ、または、
錠剤情報を受信し、それを薬剤師に表示するためのプロセッサおよび他のコンピューティ
ング構成要素を有する別個のコンピューティングシステムを含むことができる。遠隔検証
システム１５０は錠剤検証システム１２０により送信される情報を受信し、検証用に薬剤
師へのその情報の提示を管理する。遠隔検証システムおよび薬剤師への情報の表示は図２
につきさらに説明される。
【００２０】
図４は、一実施形態による検証システム１２０の構成要素を示す。この実施形態では、
検証システム１２０は、処方管理システム３２０から処方情報を受信する処方管理モジュ
ール４００、錠剤瓶撮像システム３１０から錠剤瓶情報を受信する錠剤瓶撮像モジュール
４２０、および錠剤撮像システム３００から錠剤検証情報を受信する錠剤撮像モジュール
４１０を含む。処方検証モジュール４３０がこれらのモジュールの各々から受信されるデ
ータを収集し、検証用に薬剤師に表示するためにその情報を遠隔検証システム１５０に送
信する。処方検証モジュール４３０は遠隔検証システム１５０から検証結果を受信し、そ
の検証結果を錠剤検証システム１２０のオペレーターに表示する。
【００２１】
一実施形態では、錠剤撮像システム３００は錠剤検証システム１２０に組み込まれる。
付加的な実施形態では、錠剤検証システム１２０は検証プロセスの間、錠剤瓶を維持し、
これにより錠剤検証システム１２０は、錠剤瓶を錠剤検証システム１２０から取り除く前
に、処方薬を調合している調剤技師または他のユーザに検証結果を表示することができる
。
【００２２】
一実施形態では、錠剤検証システム１２０、錠剤瓶撮像システム３１０、および錠剤撮
像システム３００は単一ユニット内に組み込まれる。この実施形態の一例では、錠剤検証
システム１２０は錠剤瓶ホルダーで錠剤瓶を受け取り、処方薬を調合する錠剤を別に受け
取る。錠剤は錠剤の画像を捕捉する錠剤撮像装置を通過し、錠剤瓶に加えられる。錠剤瓶
撮像システムは、錠剤瓶が錠剤撮像装置を出た錠剤で充填される前か、その間に、又はそ
の後に、錠剤瓶の画像を捕捉する。錠剤検証情報は、錠剤瓶が錠剤瓶ホルダーに保持され
ている間に、薬剤師の再レビュー用のディスプレイに送信される。この実施形態では、錠
剤瓶ホルダーは、遠隔の医薬検証システムから検証結果を受信するまで、錠剤瓶を保持す
るように構成するのがよい。
【００２３】
図２は、一実施形態による薬剤師が調合済みの処方オーダーをレビューするためのディ
スプレイを示す。薬剤師によるレビュー用のディスプレイは錠剤が錠剤瓶用に選択され、
瓶がラベル付けされる場所（例えば、薬局）から遠隔地に存在する。ディスプレイは、薬
剤師が個人的に調合済みの処方薬を監視する必要がなく、調合済みの処方薬が誤りを含ま
ないことを検証するのに十分な情報を含む。これは、処方薬をレビューする薬剤師の個人
的な時間を必要とせず、薬局からのより大きなスループットを可能にする。加えて、ディ
スプレイは薬剤師によって検証されるべき処理待ちの処方箋を含むことができ、それらは
多くの異なる薬局や錠剤検証システム１２０からの処方箋とすることができる。
【００２４】
他の実施形態では、薬剤師によるレビュー用のディスプレイは、錠剤が選択され、瓶が
ラベリングされる場所の近くに位置する。例えば、遠隔検証システムは、薬剤師が個人的
に調合済みの処方薬を監視しない任意の場所に実装することもでき、薬局内の離れたカウ
ンターや部屋から薬剤師が処方薬を検証することを含むことができる。
【００２５】
図２のユーザインターフェースにて示されるように、薬剤師によるレビュー用のインタ
ーフェースは調合済みの処方薬についての情報を表示するいくつかのパネルを含むことが
できる。図２において示された特定のレイアウトは一例であり、他の構成も用いてもよい
。加えて、ディスプレイは図２に例示された全ての構成要素を含まなくてもよく、又は、
錠剤検証システム１２０によって提供される情報に基づく付加的な構成要素を含んでもよ
い。薬剤師には処方箋２００が提示され、それは処方管理システム３２０で入力されるよ
うな、手書きの処方箋の画像や電子処方箋を含むことができる。薬剤師は、錠剤やラベル
の情報についての検証情報が正しいことを検証するために処方箋２００をレビューするこ
とができる。ディスプレイは錠剤瓶画像２１０も含む。錠剤瓶画像２１０は、錠剤瓶の説
明書や内容物が錠剤瓶のラベルによって説明されるものであることを示すラベル情報を表
示する。これにより薬剤師は処方が正確に処方箋２００から錠剤瓶に転写されたことおよ
び（瓶に印字された）顧客への指示が正しいことを検証することができる。
【００２６】
図２に示された実施形態では、錠剤検証情報は錠剤検証システム１２０が錠剤の錠剤類
型は所望の処方錠剤に整合しているということを検証した錠剤検証指示２２０を含む。こ
の実施形態では、検証情報は錠剤撮像プロセスからの錠剤画像および錠剤画像の自動分析
からの錠剤検証を含む。錠剤画像ギャラリー２３０も薬剤師に示される。薬剤師は、錠剤
検証システム１２０により撮影された個々の錠剤がサイズ、色、形状、押印といった特徴
や処方された（あるいはジェネリック医薬品に置き換える場合はジェネリック医薬品に置
き換え後の）医薬組成物の他の特徴に整合することを検証するために錠剤画像ギャラリー
をレビューすることができる。ある実施形態では、薬剤師は瓶内の全ての錠剤の画像また
は実質的に全ての錠剤の画像にアクセスすることができる。他の実施形態では、薬剤師は
瓶内の少なくとも５０％、６０％、７０％、８０％、９０％、９５％、９９％、または他
の割合の錠剤の画像にアクセスすることができる。錠剤検証システム１２０により識別さ
れる錠剤の類型にいかなる誤りがある場合も（すなわち、識別される錠剤の類型が所望の
錠剤の類型に整合しない場合）、整合しないいかなる錠剤も、薬剤師による迅速な識別お
よびレビューのために、ギャラリー２３０において強調表示するのがよい。錠剤検証情報
をレビューした後、薬剤師は処方薬が適切に調合されたか否かについての検証結果をイン
ターフェース２４０に提供する。錠剤検証情報が錠剤画像を含まないような一実施形態で
は、ディスプレイは対応する錠剤画像ギャラリー２３０なしで錠剤検証指示２２０を提供
する。
【００２７】
この方法を用いることにより、薬剤師には処方薬の適切な調合を迅速かつ容易に検証す
るのに十分な情報が提示される。錠剤検証情報により薬剤師は錠剤瓶に加えられた各々の
錠剤に関連する情報をレビューすることができる。錠剤類型マッチング手段が利用可能と
なれば、薬剤師は、錠剤が錠剤検証システムによって検証されるので楽になり、錠剤画像
が利用可能となれば、錠剤は、ギャラリー２３０の錠剤の画像、特に錠剤検証システム１
２０によって識別される誤りを用いることにより、薬剤師によって即時にレビューされる
。このシステム及び対応するワークフローがあれば、中央部にいる薬剤師は、処方薬を正
確に調合するという高い信頼を維持しつつ、数多くの衛星薬局からの錠剤をレビューし、
検証することができる。加えて、錠剤撮像兼検証システムを組み込む錠剤検証システムは
、その表示結果に薬剤師の検証を組み込むことができ、表示検証結果に追加の信頼性を提
供することができる。
【００２８】
遠隔錠剤検証の代替的な実施例では、遠隔検証を薬剤師が行うのではなくて、錠剤は処
方薬が調合される場所から遠隔地にある別のシステムによって自動的に検証される。従っ
て、ローカルに存在する薬局から受信するデータは、人間の薬剤師というよりむしろイン
ターフェースを介して薬品検証システムに提供される。一例におけるインターフェースは
遠隔薬剤師システムに位置する別のアプリケーションへのアプリケーションプログラミン
グインターフェース（API）である。薬品検証システムは提供された処方情報、検証情報
、およびラベル情報が許容できるか否かを確認し、この応答はローカルに存在する薬局に
送信して戻される。
【００２９】
［総括］
本発明の実施形態の上記の説明は例示目的で提示されている。つまり、余すところなく
記述されたものでもなく、また、まさに開示された形態に本発明を限定するものではない
。当業者であれば、上述の開示を考慮すれば、様々な修正や変更が可能であることを理解
するだろう。
【００３０】
本明細書のある部分は本発明の実施形態を、情報に対する操作をアルゴリズムおよび記
号による表現の観点から記述している。このようなアルゴリズム的な記述および表現は、
本発明による成果の本質を効率よく他の当業者に伝達するためにデータ処理技術の分野に
おける当業者によって一般的に用いられるものである。これらの操作は、機能的に、コン
ピュータ的に、または論理的に記述されるが、コンピュータプログラムまたは同等な電気
回路、マイクロコード等によって実装されるものと理解される。さらに、これらの操作の
配置をモジュールと呼称することが時々便利であることはわかっており、これにより普遍
性を欠くことはない。説明された操作およびこれらに関連するモジュールは、ソフトウェ
ア、ファームウェア、ハードウェア、またはこれらの任意の組合せにより具現化すること
ができる。
【００３１】
本明細書において説明したいずれのステップ、操作、またはプロセスは、１以上のハー
ドウェアまたはソフトウェアのみにより、又は他の装置との組合せにより実行または実装
することができる。一実施形態では、ソフトウェアモジュールは、説明された任意の又は
全てのステップ、操作、またはプロセスを実行するためのコンピュータプロセッサによっ
て実行することができるコンピュータプログラムコードを含むコンピュータ可読媒体を含
むコンピュータプログラム製品を用いて実装される。
【００３２】
本発明の実施形態は、本明細書中の操作を実行するための装置にも関連する。この装置
は要求される目的のために特別に構成することができ、及び／または、コンピュータ内に
保存されたコンピュータプログラムによって選択的に作動され又は再構成される汎用コン
ピューティングデバイスを含むことができる。そのようなコンピュータプログラムは、非
一時的な有形のコンピュータ可読記憶媒体、または、電子命令を保存するのに適した任意
タイプの媒体に保存することができ、これはコンピュータシステムバスに結合させること
ができる。さらに、本明細書において言及された任意のコンピューティングシステムは単
一プロセッサを含むことができ、又は、コンピューティング能力の向上のために設計され
たマルチプロセッサを採用するアーキテクチャとすることができる。
【００３３】
本発明の実施形態は、本明細書において説明されたコンピューティングプロセスによっ
て生成される製品にも関連する。そのような製品はコンピューティングプロセスから生じ
る情報を含むことができ、その情報は非一時的な、有形のコンピュータ可読記憶媒体に保
存され、本明細書において説明されたコンピュータプログラム製品または他のデータとの
組合せの任意の実施形態を含むことができる。
【００３４】
最後に、本明細書で用いられた用語は、主に読みやすさ及び説明目的で選択されたもの
であり、発明の主題を正確に叙述するため又は限定するために選択されたものではない。
従って、本発明の範囲はこの詳細な説明ではなく、むしろ本願で主張されるいずれかの請
求項によって限定されることが意図されている。従って、本発明の実施形態の開示は、後
述する請求項にて明らかにされる発明の範囲を例示するものであり、限定するものではな
いことが意図されている。
【図１】
2019115707.tif 000003
【図２】
2019115707.tif 000004
【図３】
2019115707.tif 000005
【図４】
2019115707.tif 000006
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
錠剤瓶に充填された、処方箋による錠剤の遠隔検証方法であって、
錠剤検証システム（１２０）において、患者に投薬すべき前記処方箋用の処方情報を受信するステップと、
前記錠剤検証システム（１２０）において、その処方箋用に前記錠剤瓶に充填された前記錠剤用の錠剤検証情報を収集するステップであり、前記錠剤検証システムからの前記錠剤検証情報は、前記錠剤瓶中の１以上の錠剤が処方情報と一致していることを示すものであり、
前記錠剤検証情報は以下の各ステップを含む自動検証により得られ、前記各ステップは、
前記錠剤検証システム（１２０）により、１以上の各錠剤の複数の画像を補足するステップ、
前記錠剤検証システム（１２０）により、前記１以上の錠剤の各画像を分析して特徴ベクトルを求めるステップ、
前記錠剤検証システム（１２０）により、錠剤の画像および関連する錠剤の類型のデータベースに向けられる少なくとも一つの分類子を用いて前記特徴ベクトルを処理するステップ、
前記錠剤検証システム（１２０）により、前記1以上の各錠剤について、前記錠剤の類型が前記処方情報に整合するか否かを該錠剤の前記複数の画像に基づいて確認するステップ、
である、収集するステップと、
薬剤師に表示するための前記処方情報および前記錠剤検証情報を、前記錠剤検証システム（１２０）により、遠隔検証システム（１５０）に送信するステップと、
前記遠隔検証システム（１５０）から検証応答を受信するステップであって、前記検証応答は、前記処方箋が適切に調合されたか否かを示すものである、受信するステップと、
処方分配場所へ前記検証応答を送信するステップであって、前記錠剤検証システム（１２０）はそのディスプレイ内に前記検証応答を組み込むものである、送信するステップと、
を含む遠隔検証方法。
【請求項２】
前記遠隔検証システム（１５０）において、前記処方情報および前記錠剤検証情報をディスプレイに表示するステップであって、前記ディスプレイはユーザが前記錠剤検証情報をレビューすることを可能にする、表示するステップと、
前記遠隔検証システム（１５０）において、前記遠隔検証システム（１５０）のインターフェースからの情報に対する前記検証応答を前記ユーザから受信するステップであって、該検証応答は前記処方箋により調合された錠剤を受諾または拒絶する検証応答である、受信するステップと、
前記遠隔検証システム（１５０）からの前記検証応答を前記検証システム（１２０）に送信するステップと、
をさらに含む請求項１に記載の方法。
【請求項３】
前記処方情報は、医療の専門家によって書かれた医薬の処方箋を含み、および、任意選択で、前記処方情報を表示するステップは該医薬の処方箋を表示することを含む、請求項１または２に記載の方法。
【請求項４】
前記錠剤検証情報は、調合済みの前記処方箋の１以上の錠剤が前記処方情報の医薬組成物と整合するか否かに関する前記錠剤検証システム（１２０）からの指示を含む、請求項１〜３のいずれか１項１項に記載の方法。
【請求項５】
少なくとも一つの錠剤が分配される錠剤瓶のラベルを描写する該錠剤瓶の画像、ラベル検証システムからの該錠剤瓶の前記ラベルの検証、または該錠剤瓶用に印刷されるラベル、を含む錠剤瓶情報を受信するステップをさらに含む、請求項１〜４のいずれか１項に記載の方法であって、前記錠剤瓶情報は前記処方情報および前記錠剤検証情報とともに前記遠隔認証システム（１５０）に送信される、方法。
【請求項６】
処方薬が適切に分配されていることを示す検証結果に応答して、少なくとも一つの錠剤を有する錠剤瓶を密封するステップをさらに含む、先行する請求項のいずれか１項に記載の方法。
【請求項７】
前記錠剤検証情報は、前記調合済みの前記処方箋の１以上の錠剤の少なくとも一つの画像を含む、請求項１〜６のいずれか１項に記載の方法。
【請求項８】
（ａ）前記少なくとも一つの錠剤が前記錠剤瓶に分配される間に、前記複数の画像は捕捉され、および／または
（ｂ）前記処方箋は、処方管理システムから受信され、および／または
（ｃ）前記少なくとも一つの各錠剤に対する前記複数の画像は該錠剤のいくつかの視点からの画像を含む、
請求項１〜７のいずれか１項に記載の方法。
【請求項９】
前記少なくとも一つの錠剤は前記錠剤瓶に分配され、前記錠剤が分配される間に、前記少なくとも一つの錠剤の各錠剤に対する前記複数の画像が捕捉される、請求項１〜８のいずれか１項に記載の方法。
【請求項１０】
前記少なくとも一つの錠剤に対する前記複数の画像のうちの実質的に全てを遠隔検証システム（１５０）に送信する、請求項１〜９のいずれか１項に記載の方法。
【請求項１１】
遠隔検証システム（１５０）と通信するように構成された錠剤検証システム（１２０）であって、さらに、請求項１〜１０のいずれか１項に記載の方法の前記錠剤検証システム（１２０）に関する各ステップを実行するように構成された錠剤検証システム（１２０）。
【請求項１２】
ｉ）医療の専門家からの処方箋を受信し、前記処方情報を捕捉する処方管理システム（３２０）と、
ｉｉ）複数の視点からの各錠剤の１以上の画像を撮像して、該錠剤の種類が処方箋において規定される前記医薬組成物と整合するか否かを検証する錠剤撮像システム（３００）と、
（ｉｉｉ）充填された錠剤瓶ラベルの画像またはラベル検証システムからのラベル検証結果を含む前記錠剤瓶情報を捕捉する錠剤瓶撮像システム（３１０）と、をさらに備える、請求項１１に記載の錠剤検証システム（１２０）。
【請求項１３】
請求項１１または１２に記載の錠剤検証システム（１２０）と通信するように構成された遠隔検証システム（１５０）であって、さらに、請求項１〜１０のいずれか１項に記載の方法の前記遠隔検証システムに関する各ステップを実行するように構成された遠隔検証システム（１５０）。
【請求項１４】
処方箋により錠剤瓶に充填された錠剤の遠隔検証用のシステムであって、請求項１０または１１に記載の錠剤検証システム（１２０）および請求項１２に記載の遠隔検証システム（１５０）を備えるシステム。
【請求項１５】
プロセッサにより実行されると、請求項１〜１０のいずれか１項に記載の各ステップを実行することが可能な命令を含んでいる非一時的コンピュータ可読媒体。
【外国語明細書】
2019115707000001.pdf